(57)【特許請求の範囲】
【請求項１】
キャリアアグリゲーション（CA）シナリオにおいて物理上りリンク制御チャネル（PUCCH）上で上りリンク制御情報（UCI）を伝送するための方法であって、
ハイブリッド自動再送要求（HARQ）ACK/NACKに対して空間バンドリングを実行するステップであり、前記HARQ  ACK/NACKの第１のビット数が閾値より大きく、空間バンドリング後の前記HARQ  ACK/NACKのビット数が第２のビット数であるステップと、
前記第２のビット数と第３のビット数との和が前記閾値より大きいときに、伝送対象チャネル状態情報（CSI）からターゲットCSIを選択し、空間バンドリング後の前記HARQ  ACK/NACK及び前記ターゲットCSIを伝送するステップと
を含み、
前記第３のビット数は、前記伝送対象CSIのビット数であり、
伝送対象CSIからターゲットCSIを選択することは、
前記伝送対象CSI内のそれぞれのCSIに対応する報告タイプを決定し、
前記対応する報告タイプの優先度に従って、それぞれのCSIの優先度を決定し、
前記伝送対象CSI内の優先度によりソートされた前記CSIのうち最初のN個のCSIを前記ターゲットCSIとして使用し、前記最初のN個のCSIのビット数の和は、第１の差以下であり、最初のN+1個のCSIのビット数の和は、前記第１の差より大きく、前記第１の差は、前記閾値と前記第２のビット数との差であり、N≧2である
ことを含む、方法。
【請求項２】
前記第２のビット数と前記第３のビット数との前記和が前記閾値以下であるときに、
空間バンドリング後の前記HARQ  ACK/NACK及び前記伝送対象CSIを伝送するステップを更に含む、請求項１に記載の方法。
【請求項３】
前記対応する報告タイプの優先度に従って、それぞれのCSIの優先度を決定することは、
前記伝送対象CSI内のいずれか２つのCSIが対応する報告タイプにおいて同じ優先度を有する場合、予め設定された規則に従って、前記いずれか２つのCSIに対応する優先度を決定するか、或いは前記いずれか２つのCSIにそれぞれ対応するコンポーネントキャリア（CC）の優先度に従って、前記いずれか２つのCSIに対応する優先度を決定することを含む、請求項１又は２に記載の方法。
【請求項４】
ターゲットCC選択命令を受信し、前記ターゲットCC選択命令に従ってターゲットCCを決定するステップを更に含み、
前記伝送対象CSI内のそれぞれのCSIに対応する報告タイプを決定することは、
前記ターゲットCC内のそれぞれのCSIに対応する報告タイプを決定することを含む、請求項１乃至３のうちいずれか１項に記載の方法。
【請求項５】
キャリアアグリゲーション（CA）シナリオにおいて物理上りリンク制御チャネル（PUCCH）上で上りリンク制御情報（UCI）を伝送するための装置であって、
ハイブリッド自動再送要求（HARQ）ACK/NACKに対して空間バンドリングを実行し、前記HARQ  ACK/NACKの第１のビット数が閾値より大きく、空間バンドリング後の前記HARQ  ACK/NACKのビット数が第２のビット数であり、
前記第２のビット数と第３のビット数との和が前記閾値より大きいときに、伝送対象チャネル状態情報（CSI）からターゲットCSIを選択する
ように構成された処理ユニットと、
空間バンドリング後の前記HARQ  ACK/NACK及び前記ターゲットCSIを伝送するように構成された送信ユニットと
を含み、
前記第３のビット数は、前記伝送対象CSIのビット数であり、
前記処理ユニットは、
前記伝送対象CSI内のそれぞれのCSIに対応する報告タイプを決定し、
前記対応する報告タイプの優先度に従って、それぞれのCSIの優先度を決定し、
前記伝送対象CSI内の優先度によりソートされた前記CSIのうち最初のN個のCSIを前記ターゲットCSIとして使用し、前記最初のN個のCSIのビット数の和は、第１の差以下であり、最初のN+1個のCSIのビット数の和は、前記第１の差より大きく、前記第１の差は、前記閾値と前記第２のビット数との差であり、N≧2である
ように構成される、装置。
【請求項６】
前記処理ユニットは、前記第２のビット数と前記第３のビット数との前記和が前記閾値以下であるときに、前記送信ユニットを使用することにより、空間バンドリング後の前記HARQ  ACK/NACK及び前記伝送対象CSIを伝送するように更に構成される、請求項５に記載の装置。
【請求項７】
前記処理ユニットは、
前記伝送対象CSI内のいずれか２つのCSIが対応する報告タイプにおいて同じ優先度を有する場合、予め設定された規則に従って、前記いずれか２つのCSIに対応する優先度を決定するか、或いは前記いずれか２つのCSIにそれぞれ対応するコンポーネントキャリア（CC）の優先度に従って、前記いずれか２つのCSIに対応する優先度を決定するように構成される、請求項５又は６に記載の装置。
【請求項８】
ターゲットCC選択命令を受信するように構成された受信ユニットを更に含み、
前記処理ユニットは、前記ターゲットCC選択命令に従ってターゲットCCを決定するように更に構成され、
前記処理ユニットは、
前記ターゲットCC内のそれぞれのCSIに対応する報告タイプを決定するように構成される、請求項５乃至７のうちいずれか１項に記載の装置。
【請求項９】
キャリアアグリゲーション（CA）シナリオにおいて物理上りリンク制御チャネル（PUCCH）上で上りリンク制御情報（UCI）を受信するための方法であって、
空間バンドリングされたハイブリッド自動再送要求（HARQ）ACK/NACK及びチャネル状態情報（CSI）を受信するステップを含み、
空間バンドリング前の前記HARQ  ACK/NACKの第１のビット数が閾値より大きく、前記空間バンドリングされたHARQ  ACK/NACKのビット数が第２のビット数であり、
前記第２のビット数と第３のビット数との和が前記閾値より大きいときに、前記CSIはターゲットCSIであり、前記ターゲットCSIは、伝送対象CSIから選択され、前記第３のビット数は、前記伝送対象CSIのビット数であり、
前記ターゲットCSIは、前記伝送対象CSI内で優先度によりソートされた前記CSIのうち最初のN個のCSIであり、前記最初のN個のCSIのビット数の和は、第１の差以下であり、最初のN+1個のCSIのビット数の和は、前記第１の差より大きく、前記第１の差は、前記閾値と前記第２のビット数との間の差であり、N≧2である、方法。
【請求項１０】
前記第２のビット数と前記第３のビット数との前記和が前記閾値以下であるときに、前記CSIは、前記伝送対象CSIである、請求項９に記載の方法。
【請求項１１】
キャリアアグリゲーション（CA）シナリオにおいて物理上りリンク制御チャネル（PUCCH）上で上りリンク制御情報（UCI）を受信するための装置であり、処理ユニットと、受信ユニットとを含む装置であって、
前記処理ユニットは、前記受信ユニットを使用することにより、空間バンドリングされたハイブリッド自動再送要求（HARQ）ACK/NACK及びチャネル状態情報（CSI）を受信するように構成され、
空間バンドリング前の前記HARQ  ACK/NACKの第１のビット数が閾値より大きく、前記空間バンドリングされたHARQ  ACK/NACKのビット数が第２のビット数であり、
前記第２のビット数と第３のビット数との和が閾値より大きいときに、前記CSIはターゲットCSIであり、前記ターゲットCSIは、伝送対象CSIから選択され、前記第３のビット数は、前記伝送対象CSIのビット数であり、
前記ターゲットCSIは、前記伝送対象CSI内で優先度によりソートされた前記CSIのうち最初のN個のCSIであり、前記最初のN個のCSIのビット数の和は、第１の差以下であり、最初のN+1個のCSIのビット数の和は、前記第１の差より大きく、前記第１の差は、前記閾値と前記第２のビット数との間の差であり、N≧2である、装置。
【請求項１２】
前記第２のビット数と前記第３のビット数との前記和が前記閾値以下であるときに、前記CSIは、前記伝送対象CSIである、請求項１１に記載の装置。
【請求項１３】
装置により実行されたときに、前記装置に対して請求項１乃至４のうちいずれか１項に記載の方法を実行させる命令を含むコンピュータ読み取り可能記憶媒体。
【請求項１４】
装置により実行されたときに、前記装置に対して請求項１乃至４のうちいずれか１項に記載の方法を実行させる命令を含むプログラム。
【請求項１５】
装置により実行されたときに、前記装置に対して請求項９又は１０に記載の方法を実行させる命令を含むコンピュータ読み取り可能記憶媒体。
【請求項１６】
装置により実行されたときに、前記装置に対して請求項９又は１０に記載の方法を実行させる命令を含むプログラム。
【発明の詳細な説明】
【技術分野】
【０００１】
本発明は、通信技術の分野に関し、特に上りリンク制御情報UCI（Uplink  Control  Information,  上りリンク制御情報）を伝送するための方法及び装置に関する。
【背景技術】
【０００２】
単一ユーザのピークレート及びシステム容量の増加の要件を満たすために、ほとんどの直接的な方法は、システムの伝送帯域幅を増やすことである。したがって、CA（Carrier  Aggregation,  キャリアアグリゲーション）技術が現れている。CA技術は、より大きい伝送帯域幅をサポートするために、２つ以上のCC（Component  Carrier,  コンポーネントキャリア）を集約する。CCは、serving  cell（サービングセル）とも呼ばれる。現在、標準化されたCA技術は、最大で５つのキャリアの集約をサポートする。
【０００３】
LTE-A（Long  Term  Evolution-Advanced,  ロングタームエボリューション・アドバンスト）システムでは、端末デバイスは、上りリンク及び下りリンクデータ伝送をサポートするために、PUCCH（Physical  Uplink  Control  Channel,  物理上りリンク制御チャネル）上でUCIを送信する。UCIは、以下の主な情報を含む。
・SR（Scheduling  Request,  スケジューリング要求）：基地局からの上りリンクUL-SCH（Uplink  Shared  Channel,  上りリンク共有チャネル）リソースを要求するために端末デバイスにより使用される。
・HARQ（Hybrid  Automatic  Repeat  reQuest,  ハイブリッド自動再送要求）  ACK/NACK：PDSCH（Physical  Downlink  Shared  Channel,  物理下りリンク共有チャネル）上で送信された下りリンクデータに対してHARQ確認を実行するために端末デバイスにより使用され、この明細書では簡単にHARQと呼ばれる。
・CSI（Channel  State  Information,  チャネル状態情報）：基地局が下りリンクスケジューリングを行うのを助けるために、下りリンクチャネル品質を基地局に通知するために端末デバイスにより使用され、CQI（Channel  Quality  Indicator,  チャネル品質インジケータ）、PMI（Precoding  Matrix  Indicator,  プリコーディング行列指示）、RI（Rank  indicator,  ランク指示）又はPTI（Precoding  Type  Indicator,  プリコーディングタイプインジケータ）のような情報を含む。送信されるCSIの時間特性に従って、CSI報告は、pCSI（Periodic  CSI  Reporting,  周期的CSI報告）及びaCSI（Aperiodic  CSI  Reporting,  非周期的CSI報告）に更に分類される。
【０００４】
既存のプロトコルでは、CA特性において、PUCCHは、複数のキャリアのUCIをフィードバックするために、プライマリキャリアのPCellのみについて設定される。HARQ及びCSIは、キャリア毎に報告されてもよい。したがって、CAシナリオでは、複数のCCのHRAQ及びCSI情報がサブフレーム内でPUCCH上で報告される必要がある。
【０００５】
既存のプロトコルにおけるCAシナリオは、最大で５つの設定されたキャリアをサポートする。最大容量のPUCCHフォーマットは、PUCCH  format  3であり、PUCCH  format  3は、最大で22個の情報ビットを含むことができる。１つの情報ビットがSRに確保されるため、PUCCH  format  3は、SR情報を除いて最大で22個の情報ビットを含むことができる（CA内の少なくとも１つのCCがFDDフォーマットを使用するとき）。CA内の全てのCCがTDDフォーマットを使用するとき、PUCCH  format  3は、SRを除いて最大で21個の情報ビットを含むことができる。ここで、PUCCH  format  3により含まれることができるSRを除く情報ビットの最大数は、Kmaxとして記される。複数のCCのHARQ及びpCSIが同時に伝送されるときに、UCI伝送機構は以下のようになる。
１つのCCのpCSIは、優先度に従って複数のCCのpCSIから選択され、pCSI情報に含まれるビット数はOCSIである。以下の説明は、OHARQ（元のHARQ情報ビットを示す）と、OHARQ_bundling（空間的にバンドリングされたHARQ情報ビットを示す）と、OSR（SRビット数を示し、スケジューリング要求が存在するときに1に設定され、スケジューリング要求が存在しないときに0に設定される）とを更に含む。いくつかの場合において、OCSI+OHARQ_bundling+OSR≦Kmaxである場合、pCSIを伝送するために、HARQは空間的にバンドリングされる必要がある。HARQをバンドリングすることは、下りリンクスループットを低減し得る。したがって、UCIを伝送するための従来技術の方法は、低い下りリンクスループットの欠点を有する。
【発明の概要】
【０００６】
本発明の実施例は、低い下りリンクスループットの既存の欠点を解決するための、上りリンク制御情報（UCI）を伝送するための方法及び装置を提供する。
【０００７】
第１の態様によれば、上りリンク制御情報（UCI）を伝送するための方法が提供され、
伝送対象ハイブリッド自動再送要求（HARQ）の第１のビット数を決定するステップと、
第１のビット数が閾値より小さく且つ第１のビット数と第２のビット数との和が閾値より大きいと決定されたときに、HARQを伝送するステップであり、第２のビット数は、伝送対象チャネル状態情報（CSI）のビット数であるステップと
を含む。
【０００８】
第１の態様を参照して、第１の可能な実現方式では、方法は、
第１のビット数を閾値から減算することにより、第１の差を計算するステップと、
第１の差が第２のビット数より小さいか否かを決定し、第１の差が第２のビット数より小さい場合、伝送対象CSIからターゲットCSIを選択し、ターゲットCSIを送信し、第１の差が第２のビット数以上である場合、伝送対象CSIを送信するステップと
を更に含む。
【０００９】
第１の態様を参照して、第２の可能な実現方式では、方法は、
第１のビット数が閾値より大きいと決定されたときに、HARQに対して空間バンドリングを実行するステップと、
空間的にバンドリングされたHARQの第３のビット数を決定するステップと、
第３のビット数が閾値より小さいと決定されたときに、第３のビット数を閾値から減算することにより、第２の差を計算するステップと、
第２の差が第２のビット数より小さいか否かを決定し、第２の差が第２のビット数より小さい場合、伝送対象CSIからターゲットCSIを選択し、ターゲットCSIを送信し、第２の差が第２のビット数以上である場合、伝送対象CSIを送信するステップであり、第２のビット数は、伝送対象CSIのビット数であるステップと
を更に含む。
【００１０】
第１の態様の第１又は第２の可能な実現方式を参照して、第３の可能な実現方式では、伝送対象CSIからターゲットCSIを選択することは、
伝送対象CSI内のそれぞれのCSIに対応する報告タイプを決定するステップと、
対応する報告タイプの優先度に従って、それぞれのCSIの優先度を決定するステップと、
優先度によりソートされたCSIのうち最初のN個のCSIをターゲットCSIとして使用するステップであり、最初のN個のCSIのビット数の和は、第１の差以下であり、最初のN+1個のCSIのビット数の和は、第１の差より大きいステップと
を含む。
【００１１】
第１の態様の第３の可能な実現方式を参照して、第４の可能な実現方式では、対応する報告タイプの優先度に従って、それぞれのCSIの優先度を決定するステップは、
伝送対象CSI内のいずれか２つのCSIが対応する報告タイプにおいて同じ優先度を有する場合、予め設定された規則に従って、いずれか２つのCSIに対応する優先度を決定するか、或いはいずれか２つのCSIにそれぞれ対応するコンポーネントキャリアCCの優先度に従って、いずれか２つのCSIに対応する優先度を決定するステップを含む。
【００１２】
第１の態様の第３又は第４の可能な実現方式を参照して、第５の可能な実現方式では、方法は、
ターゲットCC選択命令を受信し、ターゲットCC選択命令に従ってターゲットCCを決定するステップを更に含み、
伝送対象CSI内のそれぞれのCSIに対応する報告タイプを決定するステップは、
ターゲットCC内のそれぞれのCSIに対応する報告タイプを決定するステップを含む。
【００１３】
第２の態様によれば、上りリンク制御情報（UCI）を伝送するための装置が提供され、
伝送対象ハイブリッド自動再送要求（HARQ）の第１のビット数を決定するように構成された処理ユニットであり、処理ユニットは、第１のビット数が閾値より小さく且つ第１のビット数と第２のビット数との和が閾値より大きいか否かを決定するように更に構成される処理ユニットと、
第１のビット数が閾値より小さく且つ第１のビット数と第２のビット数との和が閾値より大きいと処理ユニットが決定したときに、HARQを伝送するように構成された送信ユニットであり、第２のビット数は、伝送対象CSIのビット数である送信ユニットと
を含む。
【００１４】
第２の態様を参照して、第１の可能な実現方式では、
処理ユニットは、
第１のビット数を閾値から減算することにより、第１の差を計算し、
第１の差が第２のビット数より小さいか否かを決定し、第１の差が第２のビット数より小さい場合、伝送対象CSIからターゲットCSIを選択するように更に構成され、
送信ユニットは、第１の差が第２のビット数より小さいと処理ユニットが決定したときに、ターゲットCSIを送信するか、或いは第１の差が第２のビット数以上であると処理ユニットが決定したときに、伝送対象CSIを送信するように更に構成される。
【００１５】
第２の態様を参照して、第２の可能な実現方式では、処理ユニットは、
第１のビット数が閾値より大きいと決定されたときに、HARQに対して空間バンドリングを実行し、
空間的にバンドリングされたHARQの第３のビット数を決定し、
第３のビット数が閾値より小さいと決定されたときに、第３のビット数を閾値から減算することにより、第２の差を計算し、
第２の差が第２のビット数より小さいか否かを決定し、第２の差が第２のビット数より小さい場合、伝送対象CSIからターゲットCSIを選択するように更に構成され、第２のビット数は、伝送対象CSIのビット数であり、
送信ユニットは、第２の差が第２のビット数より小さいと処理ユニットが決定したときに、ターゲットCSIを送信するか、或いは第２の差が第２のビット数以上であると処理ユニットが決定したときに、伝送対象CSIを送信するように更に構成される。
【００１６】
第２の態様の第１又は第２の可能な実現方式を参照して、第３の可能な実現方式では、処理ユニットは、
伝送対象CSI内のそれぞれのCSIに対応する報告タイプを決定し、
対応する報告タイプの優先度に従って、それぞれのCSIの優先度を決定し、
優先度によりソートされたCSIのうち最初のN個のCSIをターゲットCSIとして使用するように構成され、最初のN個のCSIのビット数の和は、第１の差以下であり、最初のN+1個のCSIのビット数の和は、第１の差より大きいことである。
【００１７】
第２の態様の第３の可能な実現方式を参照して、第４の可能な実現方式では、処理ユニットは、
伝送対象CSI内のいずれか２つのCSIが対応する報告タイプにおいて同じ優先度を有する場合、予め設定された規則に従って、いずれか２つのCSIに対応する優先度を決定するか、或いはいずれか２つのCSIにそれぞれ対応するコンポーネントキャリアCCの優先度に従って、いずれか２つのCSIに対応する優先度を決定するように構成される。
【００１８】
第２の態様の第３又は第４の可能な実現方式を参照して、第５の可能な実現方式では、装置は、
ターゲットCC選択命令を受信するように構成された受信ユニットを更に含み、
処理ユニットは、ターゲットCC選択命令に従ってターゲットCCを決定するように更に構成され、
処理ユニットは、ターゲットCC内のそれぞれのCSIに対応する報告タイプを決定するように構成される。
【００１９】
本発明の実施例は、UCIを伝送するための方法及び装置を提供する。この解決策では、伝送対象HARQの第１のビット数が決定され、第１のビット数が閾値より小さく且つ第１のビット数と第２のビット数との和が閾値より大きいと決定されたときに、HARQが伝送される。この解決策では、HARQは、第１のビット数と第２のビット数との和が閾値より大きいと決定されたときに直接伝送される。したがって、低い下りリンクスループットの欠点が回避できる。
【図面の簡単な説明】
【００２０】
【図１】本発明の実施例に従ってUCIを伝送するためのフローチャートである。
【図２Ａ】本発明の実施例に従ってUCIを伝送するための概略図である。
【図２Ｂ】本発明の実施例に従ってUCIを伝送するための他の概略図である。
【発明を実施するための形態】
【００２１】
本発明の目的、技術的解決策及び利点をより明確にするために、以下に、添付図面を参照して、本発明について詳細に更に説明する。明らかに、説明する実施例は、本発明の実施例の全てではなく単なる一部に過ぎない。創作的取り組みを行うことなく本発明の実施例に基づいて当業者により得られる全ての他の実施例は、本発明の保護範囲内に入るものとする。
【００２２】
以下に、本発明において使用される技術について説明する。
【００２３】
HARQフィードバック機構
【００２４】
HARQフィードバックは、以下の種類の下りリンク伝送に必要とされる。
【００２５】
1.ダイナミックスケジューリング：１つのPDCCH（Physical  downlink  Control  Channel,  物理下りリンク制御チャネル）は、１つのPDSCHに対応し、双方が同じ下りリンクサブフレーム内で伝送される。
【００２６】
2.SPS（Semi-Persistent  Scheduling,  セミパーシステントスケジューリング）：SPSスケジューリングが開始するとき、下りリンクSPSアクティベーション指示（SPSアクティベーションサブフレーム）が送信される必要がある。SPSが停止するときに、下りリンクSPS解放指示（SPS解放サブフレーム）が送信される必要がある。SPSアクティベーションの間に、PDSCHは、指定のリソースのみで送信されるが、対応するPDCCH（SPSサブフレーム）は存在しない。HARQフィードバックは、SPSアクティベーションサブフレーム、SPS解放サブフレーム及びSPSサブフレームに必要とされる。UEがHARQフィードバックを実行するときに、UEは、PUSCH（Physical  Uplink  Shared  Channel,  物理上りリンク共有チャネル）又はPUCCH上でHARQフィードバックを送信してもよい。この仕様は、PUCCH上での伝送に適用可能である。
【００２７】
HARQ空間バンドリング（spatial  bundling）機構
【００２８】
HARQ  multiplexingとも呼ばれる空間バンドリングは、1ビットのACK/NACK情報を取得するために、同じserving  cellの同じ下りリンクサブフレームを使用することにより送信される２つのコードワード（codeword）に対応するACK/NACKに対して論理積（logical  AND）演算を実行することである。
【００２９】
CSIフィードバック機構
【００３０】
CSIフィードバックは、周期的フィードバック及び非周期的フィードバックに分類される。周期的にフィードバックされるCSIはpCSIと呼ばれ、非周期的にフィードバックされるCSIはaCSIと呼ばれる。pCSIは、通常ではPUCCH上で送信され、aCSIは、通常ではPUSCH上で送信される。
【００３１】
aCSI及びpCSIのパラメータは、wideband（広帯域）CQI、subband（サブバンド）CQI、PMI（precoding  matrix  indicator,  プリコーディング行列指示）、first（第１）/second（第２）のPMI、広帯域PMI、RI（rank  indication,  ランク指示）又はPTI（Precoding  Type  Indicator,  プリコーディングタイプインジケータ）のうち少なくとも１つを含む。
【００３２】
周期的フィードバックはまた、異なるフィードバックモード、例えば、モード1-1、モード1-0、モード2-1及びモード2-0に分類される。これらのモードにおいてフィードバックされる必要のあるパラメータは異なる。例えば、モード1-0では、wideband  CQIのみがフィードバックされる必要がある。モード2-1では、subband  CQI及びwideband  PMIがフィードバックされる必要がある。
【００３３】
周期的フィードバックにおける異なるフィードバックパラメータの報告周期もまた異なってもよい。詳細はここでは説明しない。
【００３４】
異なるCSIパラメータ又はこれらの組み合わせは、異なる報告タイプとして規定され、異なる報告タイプは、異なる優先度を有する。例えば、
【００３５】
PUCCH報告は、以下のタイプに分類されてもよい。
【００３６】
報告タイプ1：UEにより選択されたサブバンドCQIフィードバックがサポートされる。
【００３７】
報告タイプ1a：サブバンドCQIフィードバック及び第２のPMIフィードバックがサポートされる。
【００３８】
報告タイプ2、2b及び2c：広帯域CQIフィードバック及びPMIフィードバックがサポートされる。
【００３９】
報告タイプ2a：広帯域PMIフィードバックがサポートされる。
【００４０】
報告タイプ3：RIフィードバックがサポートされる。
【００４１】
報告タイプ4：広帯域CQIフィードバックがサポートされる。
【００４２】
報告タイプ5：RIフィードバック及び広帯域PMIフィードバックがサポートされる。
【００４３】
報告タイプ6：RIフィードバック及びPTIフィードバックがサポートされる。
【００４４】
異なる報告タイプは、異なる優先度を有する。異なるPUCCH報告タイプは、異なる優先度に従って２つのグループに分類される。
【００４５】
グループ1：
【００４６】
報告タイプグループA：報告タイプ3、5、6及び2aを含み、これらは高優先度である。
【００４７】
報告タイプグループB：報告タイプ1、1a、2、2b、2c及び4を含み、これらは低優先度である。
【００４８】
グループ1内の報告タイプBの優先度は更に分割されてもよく、例えば、グループ2：
【００４９】
報告タイプグループC：報告タイプ2、2b、2c及び4を含み、これらは高優先度である。
【００５０】
報告タイプグループD：報告タイプ1及び1aを含み、これらは低優先度である。
【００５１】
すなわち、グループ1において報告タイプグループA内のCSIパラメータが報告タイプグループB内のCSIパラメータとコンフリクトしたときに（すなわち、CSIパラメータが同時に送信される必要があり且つ選択される必要があるときに）、報告タイプグループA内のCSIパラメータの優先度は、報告タイプグループB内のCSIパラメータの優先度より高い。
【００５２】
同様に、グループ2において報告タイプグループC内のCSIパラメータが報告タイプグループD内のCSIパラメータとコンフリクトしたときに、報告タイプグループC内のCSIパラメータの優先度は、報告タイプグループD内のCSIパラメータの優先度より高い。
【００５３】
CSIの長さ（すなわち、CSIパラメータのビット数）は、異なる条件で変化する。例えば、報告タイプ2では、フィードバックされる必要のあるCSIパラメータは、広帯域CQI及び第２のPMIである。PUCCH報告モードが2-1に設定され且つRI=1であるときに、CSIの長さは8ビットであり、RI=4のときに、CSIの長さは10ビットである。
【００５４】
本発明の目的、技術的解決策及び利点をより明確にするために、以下に、添付図面を参照して、本発明について詳細に更に説明する。明らかに、説明する実施例は、本発明の実施例の全てではなく単なる一部に過ぎない。創作的取り組みを行うことなく本発明の実施例に基づいて当業者により得られる全ての他の実施例は、本発明の保護範囲内に入るものとする。
【００５５】
以下に、添付図面を参照して、本発明の実現方式について詳細に説明する。ここで説明する実施例は、単に本発明を記載及び説明するために使用されているに過ぎず、本発明を限定することを意図するものではないことが理解されるべきである。さらに、この出願における実施例及び実施例における特徴は、互いにコンフリクトしない場合には相互に組み合わされてもよい。
【００５６】
以下に、添付図面を参照して、本発明の実施例について詳細に説明する。
【００５７】
図１を参照すると、本発明の実施例においてUCIを伝送するプロセスは以下の通りである。
【００５８】
ステップ100：伝送対象HARQの第１のビット数を決定する。
【００５９】
ステップ110：第１のビット数が閾値以下であり且つ第１のビット数と第２のビット数との和が閾値より大きいと決定されたときに、HARQを伝送し、第２のビット数は、伝送対象CSIのビット数である。
【００６０】
現在では、第１のビット数が閾値以下であり且つ第１のビット数と第２のビット数との和が閾値より大きいと決定されたときに、HARQ空間バンドリングが考慮される必要がある。しかし、HARQ空間バンドリングが実行されるときに、下りリンクスループットが減少する。複数のCCのCSIは、１つのサブフレームで送信されてもよい。したがって、HARQ空間バンドリングが実行されるという高い確率が存在し、これは、おそらく下りリンクスループットの減少をもたらし得る。この解決策では、第１のビット数が閾値以下であり且つ第１のビット数と第２のビット数との和が閾値より大きいと決定されたときに、HARQは、HARQ空間バンドリングを考慮せずに直接伝送される。したがって、低い下りリンクスループットの欠点が回避できる。
【００６１】
本発明のこの実施例において言及される閾値は、いずれかのPUCCHフォーマットの最大容量でもよく、或いは特定のリソースに対応するサポートされる情報の最大容量でもよい点に留意すべきである。閾値は、予め規定された整数値、例えば、既存のプロトコルにおいてPUCCH  format  3について規定されたKmax閾値でもよい。閾値は、より高いレイヤのシグナリング、RRC（Radio  Resource  Control,  無線リソース制御）シグナリング又はDCI（Downlink  Control  Information,  下りリンク制御情報）を用いて基地局により設定された閾値でもよい。本発明は、閾値取得方式を限定しない。例えば、PUCCH  format  4リソースについてHARQ及びCSIの同時伝送を実行するためにRB（Resource  Block,  リソースブロック）を使用することを端末デバイスが選択するか、或いは基地局が設定し、リソースの最大情報容量が100ビットであることを指定するときに、ここでの閾値は100ビットである。他の例では、HARQ及びCSIの同時伝送のためにPUCCH  format  3を使用することを端末デバイスが選択するか、或いは基地局が設定した場合、ここでの閾値はKmaxである。
【００６２】
本発明のこの実施例では、伝送対象HARQの第１のビット数を決定する複数の方式が存在してもよい。任意選択で、以下の方式が使用されてもよい。
基地局の設定に従って半静的な方式で決定すること、すなわち、設定されたキャリア数及びそれぞれの設定されたキャリアの送信モードに従って決定すること、又は
基地局の設定に従って動的な方式で決定すること、すなわち、各サブフレーム又はサブフレームの各グループの実際のスケジューリング状態に従って決定すること。
SRがHARQを伝送するためのサブフレーム内で同時に伝送される必要がある場合、第１のビット数はまた、SRにより占有されるビット数を含む点に留意すべきである。
【００６３】
本発明のこの実施例では、以下の方式がCSIの第２のビット数を決定するために使用されてもよい。
各CC上の周期的CSIについての基地局の時間設定パラメータに従って、現在フレーム内で送信されるべきCSIのビット数を計算すること。
【００６４】
送信される必要がないCSIのビット数は0である。したがって、第２のビット数は、現在フレーム内で各CCにより送信されるべきCSIのビット数の和に等しく、すなわち、全てのCCにより送信されるべきCSIのビット数の和は、第２のビット数である。
【００６５】
本発明のこの実施例では、第１のビット数が閾値以下であり且つ第１のビット数と第２のビット数との和が閾値より大きい場合、HARQのみが伝送された後にアイドルビットが存在し得る。この場合、アイドルビットは、リソース利用率を改善するために、CSIを伝送するために使用されてもよい。したがって、本発明のこの実施例では、方法は以下の動作を更に含む。
第１のビット数を閾値から減算することにより、第１の差を計算し、
第１の差が第２のビット数より小さいか否かを決定し、第１の差が第２のビット数より小さい場合、伝送対象CSIからターゲットCSIを選択し、ターゲットCSIを送信し、第１の差が第２のビット数以上である場合、伝送対象CSIを送信する。
【００６６】
例えば、伝送対象HARQの第１のビット数が230であり、伝送対象CSIの第２のビット数が44であり、閾値が256である。第１のビット数と第２のビット数との和が256より大きいため、HARQが直接伝送されるときに、合計ビット数は256であり、HARQは230を占有し、26ビットが残る。26ビットの浪費を回避するために、CSIは、リソース利用率を改善するために、26ビットで伝送されてもよい。初期の伝送対象CSIのビット数は44であり、アイドルビット数より大きい。この場合、ターゲットCSIは、初期の伝送対象CSIから選択されて伝送される必要がある。
【００６７】
上記は、第１のビット数が閾値より小さい状況を説明している。実際の用途では、第１のビット数が閾値より大きい状況が存在し得る。この場合、HARQ空間バンドリングが必要とされ、バンドリングされたHARQが伝送される。この場合、バンドリングされたHARQのビット数が閾値より小さい場合、依然としてアイドルビットが存在する。リソース利用率を改善するために、アイドルビットは、CSIを伝送するために使用されてもよい。したがって、本発明のこの実施例では、方法は以下の動作を更に含む。
第１のビット数が閾値より大きいと決定されたときに、HARQに対して空間バンドリングを実行し、
空間的にバンドリングされたHARQの第３のビット数を決定し、
第３のビット数が閾値より小さいと決定されたときに、第３のビット数を閾値から減算することにより、第２の差を計算し、
第２の差が第２のビット数より小さいか否かを決定し、第２の差が第２のビット数より小さい場合、伝送対象CSIからターゲットCSIを選択し、ターゲットCSIを送信し、第２の差が第２のビット数以上である場合、伝送対象CSIを送信し、第２のビット数は、伝送対象CSIのビット数である。
【００６８】
例えば、伝送対象HARQの第１のビット数が400であり、伝送対象CSIの第２のビット数が44であり、閾値が256である。第１のビット数が256より大きいため、HARQ空間バンドリングが実行される。バンドリングされたHARQのビット数は230であり、26ビットが残る。26ビットの浪費を回避するために、CSIは、リソース利用率を改善するために、26ビットで伝送されてもよい。初期の伝送対象CSIのビット数は44であり、アイドルビット数より大きい。この場合、ターゲットCSIは、初期の伝送対象CSIから選択されて伝送される必要がある。
【００６９】
本発明のこの実施例では、決定は、判断等と呼ばれてもよい。同様に、計算は、判定等と呼ばれてもよい。
【００７０】
前述のシナリオでは、HARQが直接伝送されるか、HARQがバンドリングされて次に伝送されるかに拘わらず、アイドルビットが存在し得る。この場合、リソースの浪費を回避するために、アイドルビットは、CSIを伝送するために使用されてもよい。初期の伝送対象CSIのビット数は、アイドルビット数より大きくてもよく、ターゲットCSIは、伝送対象CSIから選択される必要がある。
【００７１】
CSIは、CSIに含まれる内容に従って異なる報告タイプに分類されてもよい。例えば、報告タイプ1：UEにより選択されたサブバンドCQIフィードバックがサポートされる。報告タイプ1a：サブバンドCQIフィードバック及び第２のPMIフィードバックがサポートされる。報告タイプ2、2b及び2c：広帯域CQIフィードバック及びPMIフィードバックがサポートされる。報告タイプ2a：広帯域PMIフィードバックがサポートされる。報告タイプ3：RIフィードバックがサポートされる。報告タイプ4：広帯域CQIフィードバックがサポートされる。報告タイプ5：RIフィードバック及び広帯域PMIフィードバックがサポートされる。報告タイプ6：RIフィードバック及びPTIフィードバックがサポートされる。異なる報告タイプは、異なる優先度を有する。異なるPUCCH報告タイプは、異なる優先度に従って２つのグループに分類される。
【００７２】
グループ1：
【００７３】
報告タイプグループA：報告タイプ3、5、6及び2aを含み、これらは高優先度である。報告タイプグループB：報告タイプ1、1a、2、2b、2c及び4を含み、これらは低優先度である。
【００７４】
グループ1内の報告タイプBの優先度は更に分割されてもよく、例えば、グループ2：
【００７５】
報告タイプグループC：報告タイプ2、2b、2c及び4を含み、これらは高優先度である。報告タイプグループD：報告タイプ1及び1aを含み、これらは低優先度である。
【００７６】
したがって、本発明のこの実施例では、ターゲットCSIが伝送対象CSIから選択されるときに、任意選択で以下の方式が使用されてもよい。
伝送対象CSI内のそれぞれのCSIに対応する報告タイプを決定し、
対応する報告タイプの優先度に従って、それぞれのCSIの優先度を決定し、
優先度によりソートされたCSIのうち最初のN個のCSIをターゲットCSIとして使用し、最初のN個のCSIのビット数の和は、第１の差以下であり、最初のN+1個のCSIのビット数の和は、第１の差より大きい。
【００７７】
すなわち、全てのCSIは、対応する報告タイプの優先度に従ってソートされる。最高の優先度のCSIが最初に選択され、次に、２番目に高い優先度のCSIが選択され、以下同様である。全ての選択されたCSIのビット数が計算される。全ての選択されたCSIのビット数が第１の差より大きいときに、選択が停止し、全ての以前に選択されたCSIがターゲットCSIとして使用される。
【００７８】
例えば、ターゲットCSIは、伝送されるべき第１のCSI、第２のCSI及び第３のCSIから選択される。第１のCSIに対応する報告タイプは報告タイプ3であり、第２のCSIに対応する報告タイプは報告タイプ2であり、第３のCSIに対応する報告タイプは報告タイプ1である。報告タイプ3の優先度は報告タイプ2の優先度より高く、報告タイプ2の優先度は報告タイプ1の優先度より高い。したがって、降順の３つのCSIの優先度は以下の通りである。第１のCSIの優先度は第２のCSIの優先度より高く、第２のCSIの優先度は第３のCSIの優先度より高い。第１のCSIのビット数が第１の差より小さいと決定されたときに、第１のCSIのビット数と第２のCSIのビット数との和が第１の差より小さいか否かが決定される。第１のCSIのビット数と第２のCSIのビット数との和が第１の差より小さい場合、第１のCSI及び第２のCSIは、ターゲットCSIとして使用される。第１のCSIのビット数と第２のCSIのビット数との和が第１の差以上である場合、第１のCSIは、ターゲットCSIとして使用される。ここでのそれぞれのCSIは、CSIに含まれる１つのCSIパラメータではなく、１つのCCに対応する１つのCSIである点に留意すべきである。例えば、第１のCSIは、第３のCCのCSIに含まれるCQIではなく、第３のCCに対応する１つのCSIである。
【００７９】
上記は、伝送対象CSIが３つのCSIを含む例を使用することにより記載されている。明らかに、実際の用途では、伝送対象CSIは、少なくとも３つのCSを含んでもよい。ターゲットCSIを決定するプロセスは同様であり、詳細はここでは再び説明しない。
【００８０】
前述の説明において、ターゲットCSIは、対応する報告タイプの優先度に従って直接決定される。すなわち、伝送対象CSIに含まれる異なるCSIに対応する報告タイプは、異なる優先度を有する。明らかに、伝送対象CSIに含まれる異なるCSIに対応する報告タイプは、同じ優先度を有してもよい。この場合、CSIの優先度は、CSIに対応するCCの優先度に従って決定されてもよい。
【００８１】
したがって、本発明の実施例では、それぞれのCSIの優先度が対応する報告タイプの優先度に従って決定されるときに、任意選択で以下の方式が使用されてもよい。
伝送対象CSI内のいずれか２つのCSIが対応する報告タイプにおいて同じ優先度を有する場合、予め設定された規則に従って、いずれか２つのCSIに対応する優先度を決定するか、或いはいずれか２つのCSIにそれぞれ対応するコンポーネントキャリアCCの優先度に従って、いずれか２つのCSIに対応する優先度を決定する。
【００８２】
例えば、ターゲットCSIは、伝送されるべき第１のCSI、第２のCSI、第３のCSI、第４のCSI及び第５のCSIから選択される。第１のCSIに対応する報告タイプは報告タイプ3であり、第２のCSIに対応する報告タイプは報告タイプ2であり、第３のCSIに対応する報告タイプは報告タイプ1であり、第４のCSIに対応する報告タイプは報告タイプ5であり、第５のCSIに対応する報告タイプは報告タイプ6である。報告タイプ5、報告タイプ6及び報告タイプ3は同じ優先度を有し、報告タイプ3の優先度は報告タイプ2の優先度より高く、報告タイプ2の優先度は報告タイプ1の優先度より高い。したがって、CSIに対応する報告タイプの優先度に従って、５つのCSIの初期に取得される優先度は以下の通りである。第１のCSI、第４のCSI及び第５のCSIは同じ優先度を有し、これらの優先度は、第２のCSIの優先度より全て高く、第２のCSIの優先度は第３のCSIの優先度より高い。第１のCSI、第４のCSI及び第５のCSIについて、これらの優先度は、対応するCCの優先度に従って決定されてもよい。
【００８３】
本発明のこの実施例では、CCの優先度を決定する方式が選択されてもよい。CCの優先度は、CCの識別番号に従って決定されてもよい。CA技術における各CCは識別番号を有する。より小さい識別番号を有するCCがより高い優先度を有することが指定されてもよい。例えば、第１のCSI、第４のCSI及び第５のCSIに対応するCCの識別番号がそれぞれ3、0及び5である場合、より小さい識別番号を有するCCがより高い優先度を有するという規則に従って、第４のCSIが最高の優先度を有し、第１のCSIが２番目に高い優先度を有し、第５のCSIが最低の優先度を有する。すなわち、第４のCSIの優先度は第１のCSIの優先度より高く、第１のCSIの優先度は第５のCSIの優先度より高い。
【００８４】
本発明のこの実施例では、方法は、
ターゲットCC選択命令を受信し、ターゲットCC選択命令に従ってターゲットCCを決定することを更に含む。
【００８５】
この場合、それぞれのCSIに対応する報告タイプが伝送対象CSI内で決定されるときに、任意選択で以下の方式が使用されてもよい。
ターゲットCC内のそれぞれのCSIに対応する報告タイプを決定する。
【００８６】
例えば、ターゲットCSIは、伝送されるべき第１のCSI、第２のCSI、第３のCSI、第４のCSI及び第５のCSIから選択される。第１のCSI、第２のCSI、第３のCSI、第４のCSI及び第５のCSIは、それぞれ第１のCC、第２のCC、第３のCC、第４のCC及び第５のCCに対応する。ターゲットCC選択命令が受信された後に、第１のCC、第３のCC及び第５のCCが、ターゲットCC選択命令に従ってターゲットCCとして決定される。この場合、それぞれ第１、第３及び第５のCCにおける第１、第３及び第５のCSIに対応する報告タイプが決定される。
【００８７】
本発明のこの実施例では、ターゲットCC選択命令が受信されるときに、以下の方式が使用されてもよい。
より高いレイヤのシグナリングを用いてターゲットCC選択命令を受信するか、或いは
RRCシグナリングを用いてターゲットCC選択命令を受信するか、或いは
DCIを用いてターゲットCC選択命令を受信する。
【００８８】
前述の説明では、第１のビット数は閾値より小さいか或いは大きい。実際の用途では、第１のビット数は閾値と等しくてもよい。この場合、HARQは直接伝送されてもよく、第２のビット数は決定される必要がない。
【００８９】
実現方式の柔軟性を考慮して、端末は、端末がUCIを伝送する毎に、本発明のこの実施例を実行する必要はない点に留意すべきである。例えば、端末は、基地局からの指示に従って、本発明により提供される解決策を実行するか従来技術の解決策を実行するかを決定してもよい。具体的には、指示は、基地局により送信される指示内の指示ビットを使用することにより実現されてもよい。この場合、端末により受信された指示内の指示ビットが0であり且つ第１のビット数と第２のビット数との和が閾値より大きいと決定されたときに、HARQが直接伝送される。端末により受信された指示内の指示ビットが1であり且つ第１のビット数と第２のビット数との和が閾値より大きいと決定されたときに、HARQは直接伝送されず、他の条件が決定される必要がある。他の条件が満たされたときに、HARQが直接伝送される。他の条件が満たされない場合、端末は、HARQ空間バンドリングを実行し、空間的にバンドリングされたHARQを伝送する。
【００９０】
この解決策では、伝送対象HARQの第１のビット数が閾値より小さいと決定されたときに、伝送対象CSIの第２のビット数が決定される。第１のビット数と第２のビット数との和が閾値より大きいと決定されたときに、HARQが伝送される。この解決策では、HARQは、第１のビット数と第２のビット数との和が閾値より大きいときに直接伝送される。したがって、低い下りリンクスループットの欠点が回避できる。
【００９１】
図２Ａを参照すると、本発明の実施例は、UCIを伝送するための装置を提供する。装置は、処理ユニット20と、送信ユニット21とを含む。
【００９２】
処理ユニット20は、伝送対象ハイブリッド自動再送要求HARQの第１のビット数を決定するように構成される。
【００９３】
処理ユニット20は、第１のビット数が閾値より小さく且つ第１のビット数と第２のビット数との和が閾値より大きいか否かを決定するように更に構成される。
【００９４】
送信ユニット21は、第１のビット数が閾値より小さく且つ第１のビット数と第２のビット数との和が閾値より大きいと処理ユニット20が決定したときに、HARQを伝送するように構成される。第２のビット数は、伝送対象CSIのビット数である。
【００９５】
さらに、処理ユニット20は、
第１のビット数を閾値から減算することにより、第１の差を計算し、
第１の差が第２のビット数より小さいか否かを決定し、第１の差が第２のビット数より小さい場合、伝送対象CSIからターゲットCSIを選択するように更に構成される。
【００９６】
送信ユニット21は、第１の差が第２のビット数より小さいと処理ユニット20が決定したときに、ターゲットCSIを送信するか、或いは第１の差が第２のビット数以上であると処理ユニット20が決定したときに、伝送対象CSIを送信するように更に構成される。
【００９７】
さらに、処理ユニット20は、
第１のビット数が閾値より大きいと決定されたときに、HARQに対して空間バンドリングを実行し、
空間的にバンドリングされたHARQの第３のビット数を決定し、
第３のビット数が閾値より小さいと決定されたときに、第３のビット数を閾値から減算することにより、第２の差を計算し、
第２の差が第２のビット数より小さいか否かを決定し、第２の差が第２のビット数より小さい場合、伝送対象CSIからターゲットCSIを選択するように更に構成され、第２のビット数は、伝送対象CSIのビット数である。
【００９８】
送信ユニット21は、第２の差が第２のビット数より小さいと処理ユニット20が決定したときに、ターゲットCSIを送信するか、或いは第２の差が第２のビット数以上であると処理ユニット20が決定したときに、伝送対象CSIを送信するように更に構成される。
【００９９】
任意選択で、処理ユニット20が、伝送対象CSIからターゲットCSIを選択することは、具体的に、
伝送対象CSI内のそれぞれのCSIに対応する報告タイプを決定し、
対応する報告タイプの優先度に従って、それぞれのCSIの優先度を決定し、
優先度によりソートされたCSIのうち最初のN個のCSIをターゲットCSIとして使用し、最初のN個のCSIのビット数の和は、第１の差以下であり、最初のN+1個のCSIのビット数の和は、第１の差より大きいことである。
【０１００】
任意選択で、処理ユニット20が、対応する報告タイプの優先度に従って、それぞれのCSIの優先度を決定することは、具体的に、
伝送対象CSI内のいずれか２つのCSIが対応する報告タイプにおいて同じ優先度を有する場合、予め設定された規則に従って、いずれか２つのCSIに対応する優先度を決定するか、或いはいずれか２つのCSIにそれぞれ対応するコンポーネントキャリアCCの優先度に従って、いずれか２つのCSIに対応する優先度を決定することである。
【０１０１】
さらに、装置は、ターゲットCC選択命令を受信するように構成された受信ユニット22を更に含む。
【０１０２】
処理ユニット20は、ターゲットCC選択命令に従ってターゲットCCを決定するように更に構成される。
【０１０３】
処理ユニット20が、伝送対象CSI内のそれぞれのCSIに対応する報告タイプを決定することは、具体的に、
ターゲットCC内のそれぞれのCSIに対応する報告タイプを決定することである。
【０１０４】
図２Ｂを参照すると、本発明の実施例は、UCIを伝送するための装置を提供する。装置は、プロセッサ200と、送信機210とを含む。
【０１０５】
プロセッサ200は、伝送対象ハイブリッド自動再送要求HARQの第１のビット数を決定するように構成される。
【０１０６】
プロセッサ200は、第１のビット数が閾値より小さく且つ第１のビット数と第２のビット数との和が閾値より大きいか否かを決定するように更に構成される。
【０１０７】
送信機210は、第１のビット数が閾値より小さく且つ第１のビット数と第２のビット数との和が閾値より大きいとプロセッサ200が決定したときに、HARQを伝送するように構成される。第２のビット数は、伝送対象CSIのビット数である。
【０１０８】
本発明のこの実施例におけるプロセッサ200は、図２Ａに示す処理ユニット20により実行される他の動作を実行するように更に構成され、送信機210は、図２Ａに示す送信ユニット21により実行される他の動作を実行するように更に構成される点に留意すべきである。装置は、図２Ａに示す受信ユニット22により実行される動作を実行するように構成された受信機220を更に含む。
【０１０９】
当業者は、本発明の実施例が方法、システム又はコンピュータプログラムプロダクトとして提供されてもよいことを理解すべきである。したがって、本発明は、ハードウェアのみの実施例、ソフトウェアのみの実施例、又はソフトウェアとハードウェアとの組み合わせを有する実施例の形式を使用してもよい。さらに、本発明は、コンピュータ使用可能プログラムコードを含む１つ以上のコンピュータ使用可能記憶媒体（ディスクメモリ、CD-ROM、光メモリ等を含むが、これらに限定されない）上に実現されたコンピュータプログラムプロダクトの形式を使用してもよい。
【０１１０】
本発明について、本発明の実施例による方法、デバイス（システム）及びコンピュータプログラムプロダクトのフローチャート及び／又はブロック図を参照して説明した。コンピュータプログラム命令は、フローチャート及び／又はブロック図内の各プロセス及び／又は各ブロックと、フローチャート及び／又はブロック図内のプロセス及び／又はブロックの組み合わせとを実現するために使用されてもよいことが理解されるべきである。これらのコンピュータプログラム命令は、汎用コンピュータ、専用コンピュータ、埋め込み式コンピュータ又は機械を生成するための他のプログラム可能データ処理デバイスのプロセッサのために提供されてもよく、それにより、コンピュータ又は他のプログラム可能データ処理デバイスのプロセッサにより実行される命令は、フローチャート内の１つ以上のプロセス及び／又はブロック図内の１つ以上のブロックにおける特定の機能を実現するための装置を生成する。
【０１１１】
これらのコンピュータプログラム命令は、コンピュータ又は他のプログラム可能データ処理デバイスに対して特定の方式で動作するように命令できるコンピュータ読み取り可能メモリに記憶されてもよく、それにより、コンピュータ読み取り可能メモリ内に記憶された命令は、命令装置を含む産物を生成する。命令装置は、フローチャート内の１つ以上のプロセス及び／又はブロック図内の１つ以上のブロックにおける特定の機能を実現する。
【０１１２】
これらのコンピュータプログラム命令はまた、コンピュータ又は他のプログラム可能データ処理デバイスにロードされてもよく、それにより、一連の動作及びステップがコンピュータ又は他のプログラム可能デバイス上で実行され、それにより、コンピュータにより実現される処理を生成する。したがって、コンピュータ又は他のプログラム可能デバイス上で実行される命令は、フローチャート内の１つ以上のプロセス及び／又はブロック図内の１つ以上のブロックにおける特定の機能を実現するためのステップを提供する。
【０１１３】
本発明のいくつかの実施例について説明したが、当業者は、基本的な発明概念を習得すると、これらの実施例に変更及び変形を行うことができる。したがって、以下の特許請求の範囲は、実施例と、本発明の範囲内に入る全ての変更及び変形とをカバーするように解釈されることを意図する。
【０１１４】
明らかに、当業者は、本発明の実施例の真意及び範囲を逸脱することなく、本発明の実施例に変更及び変形を行うことができる。本発明は、以下の特許請求の範囲及びその均等技術により規定される保護の範囲内に入るという条件で、これらの変更及び変形をカバーすることを意図する。
【図１】
0006567779.tif 000002
【図２Ａ】
0006567779.tif 000003
【図２Ｂ】
0006567779.tif 000004